(57)【特許請求の範囲】
【請求項１】
１つの記録手段に記録されている複数のプログラム情報を所定の再生順に再生させる再生制御手段と、
前記再生された複数のプログラム情報のうちの少なくとも２つのプログラム情報が別々の出力手段から出力するように、前記複数のプログラム情報を出力させる出力制御手段と、
を備え、
前記出力制御手段は、前記複数のプログラム情報の夫々の先頭の所定時間分のデータのみを前記出力手段から出力させるとともに、前記少なくとも２つのプログラム情報の先頭の所定時間分のデータの一部又は全部の出力タイミングが重なるように、前記複数のプログラム情報を出力させ、
前記出力タイミングの重なるプログラム情報夫々は、互いに所定の再生順に連続していることを特徴とする再生出力制御装置。
【請求項２】
請求項１に記載の再生出力制御装置において、
前記再生された夫々の前記プログラム情報の出力を夫々の前記出力手段に割り当てる出力割当手段と、を更に備え、
前記出力制御手段は、前記出力割当手段による前記割り当てに従って、前記夫々のプログラム情報を夫々の前記出力手段から出力させることを特徴とする再生出力制御装置。
【請求項３】
請求項２に記載の再生出力制御装置において、
前記出力割当手段は、前記夫々のプログラム情報の出力を２つの前記出力手段に交互に割り当てることを特徴とする再生出力制御装置。
【請求項４】
１つの記録手段に記録されている複数のプログラム情報を所定の再生順に再生させる再生工程と、
前記再生された複数のプログラム情報のうちの少なくとも２つのプログラム情報が別々の出力手段から出力するように、前記複数のプログラム情報を出力させる出力工程と、
を備え、
前記出力工程においては、前記複数のプログラム情報の夫々の先頭の所定時間分のデータのみを前記出力手段から出力させるとともに、前記少なくとも２つのプログラム情報の先頭の所定時間分のデータの一部又は全部の出力タイミングが重なるように、前記複数のプログラム情報を出力させ、
前記出力タイミングの重なるプログラム情報夫々は、互いに所定の再生順に連続していることを特徴とする再生出力制御方法。
【請求項５】
コンピュータを、
１つの記録手段に記録されている複数のプログラム情報を所定の再生順に再生させる再生制御手段、及び、
前記再生された複数のプログラム情報のうちの少なくとも２つのプログラム情報が別々の出力手段から出力するように、前記複数のプログラム情報を出力させる出力制御手段、
として機能させ、
前記出力制御手段としての前記コンピュータを、前記複数のプログラム情報の夫々の先頭の所定時間分のデータのみを前記出力手段から出力させるとともに、前記少なくとも２つのプログラム情報の先頭の所定時間分のデータの一部又は全部の出力タイミングが重なるように、前記複数のプログラム情報を出力させるように機能させ、
前記出力タイミングの重なるプログラム情報夫々は、互いに所定の再生順に連続していることを特徴とする再生出力制御処理プログラム。
【請求項６】
請求項５に記載の再生出力制御処理プログラムがコンピュータ読み取り可能に記録されていることを特徴とする記録媒体。
【発明の詳細な説明】
【技術分野】
【０００１】
光ディスク等の記録手段に記録されている複数の楽曲データ等のプログラム情報を再生させる装置又は方法等の技術分野に関する。
【背景技術】
【０００２】
従来から、例えば光ディスクに記録されている多数の楽曲をスキャン（サーチ）し、各曲の曲頭を順次再生（演奏）することが可能な情報再生装置が知られている（例えば、特許文献１参照）。【０００３】
このような情報再生装置によれば、例えばユーザは、光ディスクに記録された多数の楽曲の曲頭（先頭部分）を聴くことにより所望の楽曲を選曲することができる。
【特許文献１】特開昭６２−０３４３５６
【発明の開示】
【発明が解決しようとする課題】
【０００４】
しかしながら、従来の情報再生装置のように各曲の曲頭を順次再生させる方法であっても、記録されている楽曲の数が多くなると、ユーザの所望する楽曲に辿り着く（探し出す）のに時間がかかってしまうという問題がある。【０００５】
特に、近年、記録手段（記録媒体）の大容量化や、ＭＰ（MPEG Audio Layer）３、ＡＴＲＡＣ（Adaptive TRansform Acoustic Coding）３等のデータ圧縮技術の進展により、ＣＤ(Compact Disc)、ＭＤ(Mini Disc)、ＤＶＤ(Digital Versatile Disc) 、ＨＤ（Hard Disc）等の１つの記録手段に記録可能な楽曲の数（収録数）が非常に多くなってきているため、従来のような方法では、ユーザの所望する楽曲に辿り着くのに膨大な時間がかかってしまう。【０００６】
そこで、本願は、このような問題の解消を一つの課題とし、記録手段に記録されている複数の楽曲データ等のプログラム情報から所望のプログラム情報を迅速に（短時間で）探し出すことが可能な再生出力制御装置、再生出力制御方法、及び再生出力制御処理プログラム等を提供することを目的する。
【課題を解決するための手段】
【０００７】
上記課題を解決するため、本願の一つの観点では、１つの記録手段に記録されている複数のプログラム情報を所定の再生順に再生させる再生制御手段と、前記再生された複数のプログラム情報のうちの少なくとも２つのプログラム情報が別々の出力手段から出力するように、前記複数のプログラム情報を出力させる出力制御手段と、を備え、前記出力制御手段は、前記複数のプログラム情報の夫々の先頭の所定時間分のデータのみを前記出力手段から出力させるとともに、前記少なくとも２つのプログラム情報の先頭の所定時間分のデータの一部又は全部の出力タイミングが重なるように、前記複数のプログラム情報を出力させ、前記出力タイミングの重なるプログラム情報夫々は、互いに所定の再生順に連続していることを特徴とする。
【０００８】
本願の他の観点では、１つの記録手段に記録されている複数のプログラム情報を所定の再生順に再生させる再生工程と、前記再生された複数のプログラム情報のうちの少なくとも２つのプログラム情報が別々の出力手段から出力するように、前記複数のプログラム情報を出力させる出力工程と、を備え、前記出力工程においては、前記複数のプログラム情報の夫々の先頭の所定時間分のデータのみを前記出力手段から出力させるとともに、前記少なくとも２つのプログラム情報の先頭の所定時間分のデータの一部又は全部の出力タイミングが重なるように、前記複数のプログラム情報を出力させ、前記出力タイミングの重なるプログラム情報夫々は、互いに所定の再生順に連続していることを特徴とする。  
【０００９】
本願の更に他の観点では、コンピュータを、１つの記録手段に記録されている複数のプログラム情報を所定の再生順に再生させる再生制御手段、及び、前記再生された複数のプログラム情報のうちの少なくとも２つのプログラム情報が別々の出力手段から出力するように、前記複数のプログラム情報を出力させる出力制御手段、として機能させ、前記出力制御手段としての前記コンピュータを、前記複数のプログラム情報の夫々の先頭の所定時間分のデータのみを前記出力手段から出力させるとともに、前記少なくとも２つのプログラム情報の先頭の所定時間分のデータの一部又は全部の出力タイミングが重なるように、前記複数のプログラム情報を出力させるように機能させ、前記出力タイミングの重なるプログラム情報夫々は、互いに所定の再生順に連続していることを特徴とする。
【００１０】
本願の更に他の観点では、前記再生出力制御処理プログラムがコンピュータ読み取り可能に記録されていることを特徴とする。
【図面の簡単な説明】
【００１１】
【図１】本実施形態における情報再生装置の概要構成例を示す図である。
【図２】選曲サーチにより再生されたｎ（ｎ＝１，２，３・・・ｋ）曲目とｎ＋１曲目の楽曲の先頭の１０秒間の全部の出力タイミングが重なるように、ｎ曲目の楽曲がＬチャンネルに割り当てられ、ｎ＋１曲目の楽曲がＲチャンネルに割り当てられた様子の一例を示す概念図である。
【図３】選曲サーチにより再生されたｎ（ｎ＝１，２，３・・・ｋ）曲目とｎ＋１曲目の楽曲の先頭の１０秒間の一部の出力タイミングが重なるように、ｎ曲目の楽曲がＬチャンネルに割り当てられ、ｎ＋１曲目の楽曲がＲチャンネルに割り当てられた様子の一例を示す概念図である。
【図４】選曲サーチ時におけるシステム制御部２２の処理を示すフローチャートである。
【図５】バッファメモリ１７の内容の一例を示す概念図である。
【符号の説明】
【００１２】
１  情報再生装置
１５  情報読取部
１６  デジタル信号処理部
１７  バッファメモリ
１８ａ，１８ｂ  ＤＡＣ
１９ａ，１９ｂ  アンプ
２０ａ，２０ｂ  スピーカ
２１  操作・表示部
２２  システム制御部
【発明を実施するための最良の形態】
【００１３】
以下、本願の最良の実施形態を添付図面に基づいて説明する。なお、以下に説明する実施の形態は、楽曲（曲）データ（プログラム情報の一例）が複数記録されている光ディスク（記録手段の一例）から当該楽曲を再生する情報再生装置に対して本願を適用した場合の実施形態である。【００１４】
先ず、図１等を参照して、本実施形態における情報再生装置の構成及び機能について説明する。【００１５】
図１は、本実施形態における情報再生装置の概要構成例を示す図である。【００１６】
図１に示すように、情報再生装置１は、情報読取部１５、デジタル信号処理部１６、バッファメモリ１７、ＤＡＣ（Digital Analog Converter）１８ａ，１８ｂ、アンプ１９ａ，１９ｂ、出力手段の一例としてのスピーカ２０ａ，２０ｂ、操作・表示部２１、及びシステム制御部２２等を備えて構成されている。なお、システム制御部２２、又は、システム制御部２２及びデジタル信号処理部１６は、本願の再生出力制御装置を構成する。【００１７】
情報読取部１５は、図示しないが、スピンドルモータ、光ピックアップ、送りモータ、ＲＦ（Radio Frequency）アンプ、アクチュエータ、及びサーボ回路等を備えている。【００１８】
スピンドルモータは、サーボ回路の制御の下、図示しないドライブ機構のクランプ位置に載置された光ディスク（例えば、ＣＤ−ＤＡ）を一定の線速度で回転駆動させる。また、本実施形態においては、スピンドルモータは、サーボ回路により、通常の回転速度（規格により定められた１倍速の回転速度）より速い速度（例えば、４倍速）で回転駆動されるようになっている。【００１９】
送りモータは、サーボ回路の制御の下、光ピックアップを光ディスクの半径方向に送るようになっている。また、光ピックアップは、図示しない半導体レーザ素子により光ビームを光ディスクに照射し、その反射光により光ディスクに記録された信号を検出し（読み取り）、ＲＦアンプは、光ピックアップにより検出された信号からＲＦ信号，トラッキングエラー信号及びフォーカスエラー信号等を生成するようになっている。また、本実施形態においては、光ピックアップは、通常の信号検出速度（情報読み取り速度）より速い速度（例えば、４倍速）で情報を読み取るように制御される。【００２０】
サーボ回路は、上記トラッキングエラー信号に基づくトラッキングサーボ制御、及び上記フォーカスエラー信号に基づくフォーカスサーボ制御等を行う。また、サーボ回路は、例えば楽曲のサーチの際には、光ピックアップの対物レンズ（図示せず）をトラック単位で動かすトラックジャンプ制御や、送りモータにより光ピックアップの全体をディスク半径方向へ動かすフィード送り制御を行う。【００２１】
デジタル信号処理部１６は、例えばＤＳＰ（Digital Signal Processor）等により構成されており、上記ＲＦ信号に対してＥＦＭ（Eight to Fourteen Modulation）復調処理及び誤り訂正処理等のデジタル信号処理を施すことにより光ディスクの記録情報を再生する。そして、デジタル信号処理部１６は、例えば通常再生の際には、再生された記録情報に含まれる例えばレフトチャンネル（以下、「Ｌチャンネル」という）のデジタル楽曲データ、及びライトチャンネル（以下、「Ｒチャンネル」という）のデジタル楽曲データを抽出し、バッファメモリ１７に一時的に蓄積した後、予め設定されたチャンネル割り当て（各チャンネルの出力ポートへの割り当て）に従って、例えば、Ｌチャンネルのデジタル楽曲データをＤＡＣ１８ａに、Ｒチャンネルのデジタル楽曲データをＤＡＣ１８ｂに、夫々出力するようになっている。なお、バッファメモリ１７は、例えば数十ＭＢの記憶容量を有しており、３０秒〜１分程度の楽曲データを蓄積可能になっている。【００２２】
また、デジタル信号処理部１６は、各種サーボを立ち上げ時等に、光ディスク上の最内周のリードインエリアに記録されたＴＯＣ（Table Of Contents）情報（例えば、曲別の先頭絶対時間等を含む）を、上記記録情報から抽出し、システム制御部２２に出力する。【００２３】
ＤＡＣ１８ａ，１８ｂは、デジタル信号処理部１６からのデジタル楽曲データをアナログ信号に変換して出力する。そして、アンプ１９ａは、ＤＡＣ１８ａからのアナログ信号を増幅してスピーカ２０ａに出力し、当該スピーカ２０ａは、増幅されたアナログ信号を音波として外部に出力する。また、アンプ１９ｂは、ＤＡＣ１８ｂからのアナログ信号を増幅してスピーカ２０ｂに出力し、当該スピーカ２０ｂは、増幅されたアナログ信号を音波として外部に出力する。【００２４】
操作・表示部２１には、例えば、ユーザから各種操作指示を入力するための操作ボタン（例えば、再生ボタン、停止ボタン、早送りボタン、巻戻しボタン、選曲サーチボタン等）が設けられており、ユーザによって押下された操作ボタンに対応する操作信号がシステム制御部２２に出力されるようになっている。また、操作・表示部２１は、光ディスクに記録されている楽曲のトラックナンバーや演奏時間等の情報を表示するための表示パネルを有する。【００２５】
システム制御部２２は、ＣＰＵ（Central Processing unit），ＲＡＭ（Random AccessMemory），各種データ及びプログラムを記憶するＲＯＭ（Read Only Memory）等を備え、ＣＰＵが例えばＲＯＭに記憶されているプログラム（本願の再生出力制御処理プログラムを含む）等を読み出して実行することにより、情報再生装置１全体を統括制御すると共に、再生制御手段及び出力制御手段として機能するようになっている。つまり、システム制御部２２は、サーボ回路及びデジタル信号処理部１６等を制御して、光ディスクに連続して記録されている複数の楽曲データ（以下、単に「楽曲」という）を通常の再生速度より速い速度（例えば、４倍速）で読み取りバッファメモリ１７に蓄積し、一定の蓄積量に達したときに、ＤＡＣ１８ａ，１８ｂ及びアンプ１９ａ，アンプ１９ｂを介してスピーカ２０ａ，スピーカ２０ｂから通常の速度で出力させる。なお、通常再生処理においては、通常の再生速度で再生させてＤＡＣ１８ａ，１８ｂ及びアンプ１９ａ，アンプ１９ｂを介してスピーカ２０ａ，スピーカ２０ｂから通常の速度で出力させるようにしてもよい。【００２６】
そして更に、システム制御部２２は、例えば選曲サーチの際には、複数の楽曲の先頭の所定時間（１０秒間）のみを通常の再生速度より速い速度（例えば、４倍速）で読み取りバッファメモリ１７に一時蓄積し、一定の蓄積量に達したときに、当該複数の楽曲（例えば先頭の所定時間）のうち少なくとも２つの楽曲が別々のスピーカ２０ａ又は２０ｂから出力され、かつ、当該少なくとも２つの楽曲の一部又は全部の出力タイミングが重なるように、当該複数の楽曲を通常の速度で出力させるようになっている。例えば、１曲目の楽曲の先頭の１０秒間がスピーカ２０ａから出力されると同時に、２曲目の楽曲の先頭の１０秒間がスピーカ２０ｂから出力される。【００２７】
図２は、選曲サーチにより再生されたｎ（ｎ＝１，３・・・）曲目とｎ＋１曲目の楽曲の先頭の１０秒間（１０ｓ）の全部の出力タイミングが重なるように、ｎ曲目の楽曲がＬチャンネル（言い換えれば、Ｌチャンネルに対応するスピーカ２０ａ）に割り当てられ、ｎ＋１曲目の楽曲がＲチャンネル（言い換えれば、Ｒチャンネルに対応するスピーカ２０ｂ）に割り当てられた様子の一例を示す概念図である。【００２８】
また、図３は、選曲サーチにより再生されたｎ（ｎ＝１，３・・・）曲目とｎ＋１曲目の楽曲の先頭の１０秒間の一部（図３に示す重なり時間Ｔ）の出力タイミングが重なるように、ｎ曲目の楽曲がＬチャンネルに割り当てられ、ｎ＋１曲目の楽曲がＲチャンネルに割り当てられた様子の一例を示す概念図である。【００２９】
図２及び図３の例とも、複数の楽曲の再生順（つまり、１曲目→２曲目→３曲目・・・の順）に、夫々の楽曲の出力が２つのＬチャンネル又はＲチャンネルに交互に割り当てられ出力されている。これにより、ユーザは所望の楽曲を迅速に（短時間で）探し出すことができる。【００３０】
次に、選曲サーチ時における情報再生装置１の動作を、図４を参照しつつ説明する。【００３１】
図４は、選曲サーチ時におけるシステム制御部２２の処理を示すフローチャートである。なお、以下の説明において、システム制御部２２は、光ディスクが情報再生装置１にセットされた際における各種サーボ立ち上げ時に、上述したＴＯＣ情報を取得しているものとする。【００３２】
図４に示す処理は、例えばユーザにより操作・表示部２１における選曲サーチボタンが押下されると開始され、システム制御部２２は、先ず、デジタル信号処理部１６に対して出力割当設定情報及び出力タイミング設定情報を与える（ステップＳ１）。【００３３】
ここで、出力割当設定情報には、例えば、デジタル信号処理部１６におけるＬチャンネルの出力ポートに対してｎ曲目の楽曲の出力を、Ｒチャンネルの出力ポートに対してｎ＋１曲目の楽曲の出力を、夫々割り当てる情報が含まれている。一方、出力タイミング設定情報には、例えば、デジタル信号処理部１６におけるＬチャンネル及びＲチャンネルの出力ポートからの楽曲の出力タイミングを規定（言い換えれば、Ｌチャンネル及びＲチャンネルの出力タイミング差を規定）する情報が含まれている。【００３４】
デジタル信号処理部１６は、システム制御部２２からの出力割当設定情報及び出力タイミング設定情報を受けると、出力割当設定情報に基づき、出力割当設定手段として、Ｌチャンネルの出力ポートに対してｎ曲目の楽曲の出力を、Ｒチャンネルの出力ポートに対してｎ＋１曲目の楽曲の出力を、夫々割り当てる設定を行うと共に、出力タイミング設定情報に基づき、Ｌチャンネル及びＲチャンネルの出力ポートからの楽曲の出力タイミングを設定する。【００３５】
次いで、システム制御部２２は、サーボ回路及びデジタル信号処理部１６等に対して選曲サーチ動作開始指令を与え、選曲サーチ動作処理を実行する（ステップＳ２）。【００３６】
当該サーチ動作処理においては、システム制御部２２は、サーボ回路に対してＴＯＣ情報に含まれる曲毎の先頭絶対時間で示される光ディスクにおける記録位置（目標位置）のサーチ指令等を与えてサーチ動作制御を行う。これにより、サーボ回路によるトラックジャンプ制御によって光ピックアップの対物レンズが当該記録位置に向けて移動され楽曲毎の先頭部分の記録情報が通常の情報読み取り速度より速い速度（例えば、４倍速）で順次読み取られ、そのＲＦ信号に対してデジタル信号処理部１６によりＥＦＭ復調処理及び誤り訂正処理等のデジタル信号処理が施されて楽曲の先頭の所定時間（例えば、１０秒間）が再生され、再生された楽曲の先頭の所定時間がバッファメモリ１７に一時的に蓄積されていくことになる。【００３７】
図５は、バッファメモリ１７の内容の一例を示す概念図である。【００３８】
図５に示すように、バッファメモリ１７は、所定バイト分のデータを記憶可能な第１記憶領域から第ｍ記憶領域を有しており、楽曲の再生順に、楽曲（先頭の所定時間分）のＬチャンネルのデータと楽曲のＲチャンネルのデータが通常の速度より速い速度（例えば、４倍速）で順次蓄積されていくようになっている。【００３９】
そして、デジタル信号処理部１６は、バッファメモリ１７が一定の蓄積量に達したときに、上記割り当て設定及び出力タイミング設定に従って、バッファメモリ１７に蓄積された各楽曲のＬチャンネルのデータ又はＲチャンネルのデータを読み出し何れか一方のチャンネルの出力ポートから出力させる。これにより、例えば、図５に示すように、１曲目の楽曲のＬチャンネルのデータがＬチャンネルの出力ポートを介してＤＡＣ１８ａに出力され、その出力タイミングに重なるように２曲目の楽曲のＲチャンネルのデータがＲチャンネルの出力ポートを介してＤＡＣ１８ｂに出力され、その出力タイミングに重なるように３曲目の楽曲のＬチャンネルのデータがＬチャンネルの出力ポートを介してＤＡＣ１８ａに出力されるといった具合に、楽曲がその再生順又は記録順に交互に何れか一方のチャンネルの出力ポートから、しかも出力タイミングが重なるように出力されることになる。こうしてＤＡＣ１８ａ又は１８ｂに出力された各楽曲は、アンプ１９ａ及びスピーカ２０ａ、又は、アンプ１９ｂ及びスピーカ２０ｂを介して外部に出力されることになる。【００４０】
なお、バッファメモリ１７に蓄積された楽曲が出力されると、順次、次の楽曲の先頭部分の記録情報が通常の再生速度より速い速度（例えば、４倍速）で読み取られ、蓄積されることになる。【００４１】
次いで、システム制御部２２は、選曲サーチが完了したか否か、つまり、光ディスクに記録されている全ての楽曲（先頭の所定時間分）の再生が完了したか否かを判別し（ステップＳ３）、完了していない場合には（ステップＳ３：Ｎ）、ステップＳ４に移行し、完了した場合には（ステップＳ３：Ｙ）、当該処理を終了する。【００４２】
そして、例えばユーザが、上記サーチ動作処理によって左右のスピーカ２０ａ，２０ｂから出力された楽曲を聴いているときに、所望の楽曲を見つけて操作・表示部２１におけるスピーカ２０ａ，２０ｂのどちらかに対応する再生ボタン、または、スピーカ２０ａ，２０ｂのどちらかを選択するための選択ボタンを押下すると、システム制御部２２は、これに応じて（ステップＳ４：Ｙ）、当該再生ボタンが押下された時に出力されていた楽曲の通常再生処理を実行する（ステップＳ５）。この通常再生処理においては、システム制御部２２は、デジタル信号処理部１６に対して出力割当設定及び出力タイミング設定を通常再生時の設定（つまり、同一楽曲のＬチャンネルのデータがＬチャンネルの出力ポートから、ＲチャンネルのデータがＲチャンネルの出力ポートから、夫々同タイミングで出力される設定）に戻す指令を与えると共に、再生ボタンが押下された時に出力されていた楽曲に関する情報をデジタル信号処理部１６から取得し、その楽曲の先頭の記録位置まで光ピックアップの対物レンズが移動させ記録情報を読み取らせるようにサーボ回路を制御することで、その楽曲を通常再生させる。【００４３】
なお、ステップＳ４にてユーザにより再生ボタンが押下されない場合には（ステップＳ４：Ｎ）、ステップＳ２に戻り選曲サーチ動作処理が繰り返される。【００４４】
以上説明したように、上記実施形態によれば、選曲サーチの際に、異なる２つの楽曲（例えば、先頭の所定時間）の一部又は全部の出力タイミングが重なるように別々のスピーカ２０ａ又は２０ｂから出力されるので、ユーザは所望の楽曲を迅速に（短時間で）探し出すことが可能となり、選曲にかかる時間を短縮することができる。【００４５】
なお、上記実施形態においては、楽曲が圧縮されてない場合を例にとって説明したが、楽曲が圧縮（例えば、ＭＰ３等により）されて光ディスク（例えば、ＣＤ−Ｒ）に記録されている場合についても、もちろん本願を適用可能であり、この場合、例えば、デジタル信号処理部１６と、ＤＡＣ１８ａ，１８ｂとの間にデコーダが備えられることになり、デジタル信号処理部１６から出力された圧縮された楽曲（先頭の所定時間分）がデコーダにより伸張された後、ＤＡＣ１８ａ又は１８ｂに出力されることになる。例えば、楽曲がＭＰ３方式により圧縮されて（圧縮されていない楽曲（以下、ノーマル楽曲と称する）より１０分の１に圧縮されて）光ディスクに記録されている場合、その圧縮された楽曲を光ディスクから読み取るにはノーマル楽曲を読み取る速さに比べ約１０倍の速さにて読み取ることが可能となる。つまり、ＭＰ３方式にて圧縮された楽曲はノーマル楽曲より約１０倍の速さにてバッファメモリ１７に蓄積され、そのバッファメモリ１７に蓄積された楽曲はデコーダにて伸張されてノーマル楽曲が出力される速さ（１倍速）と同じ速さにて出力されることとなる。そうなると、その圧縮による読み取りの速さを利用することにより、上記した楽曲が圧縮されていない場合とは異なり、あえて光ディスクの回転速度を速める制御等をすることなく、本願を適用することが可能となる。なお、圧縮方式はＭＰ３方式に限ることなく、例えば、ＡＴＲＡＣ方式などいずれの圧縮方式でも適用可能である。【００４６】
また、上記実施形態においては、再生された複数の楽曲の再生順（つまり、１曲目→２曲目→３曲目・・・の順）に、夫々の楽曲の出力を２つのＬチャンネル又はＲチャンネルに交互に割り当てるように構成したが、これに限定されるものではなく、例えば、バッファメモリに１曲目〜１０曲目までの楽曲の先頭の所定時間のデータを蓄積し、蓄積されている最初の楽曲（例えば、１曲目の楽曲。この１曲目の楽曲が出力されれば２曲目の楽曲が最初の楽曲になる）と最後の楽曲（例えば、１０曲目の楽曲。この１０曲目の楽曲が出力されれば９曲目の楽曲が最初の楽曲になる）の出力を２つのＬチャンネル又はＲチャンネルに交互に割り当てるように構成しても良い。このように構成すれば、例えば、１曲目の楽曲と１０曲目の楽曲の出力タイミング、２曲目の楽曲と９曲目の楽曲の出力タイミング、３曲目の楽曲と８曲目の楽曲の出力タイミング、４曲目の楽曲と７曲目の楽曲の出力タイミング、５曲目の楽曲と６曲目の楽曲の出力タイミングが、夫々重なるようにスピーカ２０ａ，２０ｂから出力されることになる。また、バッファメモリ１７に蓄積された複数の楽曲のランダムの組合せ（例えば、３曲目の楽曲と１０曲目の楽曲）で当該楽曲の出力を２つのＬチャンネル又はＲチャンネルに割り当てるように構成しても良い。【００４７】
また、例えば、複数の楽曲が例えばアーティスト別（或いは、ジャンル別）にフォルダが分割されて光ディスクに記録されている場合には、アーティスト別にチャンネルを割り当てるように構成しても良い。例えば、ＬチャンネルにはＡＡＡのアーティストの楽曲を割り当て、ＲチャンネルにはＢＢＢのアーティストの楽曲を割り当て、ＡＡＡのアーティストの楽曲と、ＢＢＢのアーティストの楽曲の出力タイミングが重なるようにスピーカ２０ａ，２０ｂから出力させる。また、例えば、Ｌチャンネルにはロックの楽曲を割り当て、Ｒチャンネルにはクラッシックの楽曲を割り当て、ロックの楽曲と、クラッシックの楽曲の出力タイミングが重なるようにスピーカ２０ａ，２０ｂから出力させる。【００４８】
また、上記実施形態においては、ＬチャンネルとＲチャンネルの２チャンネル対応の情報再生装置１を例にとり、２チャンネルの夫々に異なる楽曲を割り当てるように構成したが、これに限定されるものではなく、５．１ｃｈや６．１ｃｈ対応の情報再生装置に対して本願を適用することも可能である。例えば、５．１ｃｈや６．１ｃｈ対応の情報再生装置に対して適用する場合、例えば、センターチャンネル、フロントレフトチャンネル、フロントライトチャンネル、リアレフトチャンネル、リアライトチャンネル等に対して夫々に異なる楽曲を割り当て、例えば５曲又は６曲の楽曲（例えば、先頭の所定時間）の一部又は全部の出力タイミングが重なるように、夫々のチャンネルに対応するスピーカから夫々の楽曲を出力させる。このように構成すれば、より一層、ユーザは所望の楽曲を迅速に探し出し、選曲にかかる時間を短縮することができる。【００４９】
また、上記実施形態においては、記録手段の一例としてのＣＤに記録された楽曲を再生する情報再生装置に対して本願を適用した場合を例にとって説明したが、これに限定されるものではなく、ＤＶＤ，ＭＤ，ＨＤ，メモリカード（メモリスティック、ＳＤカード等）等の記録手段に記録された楽曲を再生する情報再生装置又は情報再生記録装置に対して本願を適用しても良い。【００５０】
また、上記実施形態においては、プログラム情報として楽曲データを、出力手段として複数のスピーカ（同一種類の複数の出力手段）を夫々例にとって説明したが、これに限定されるものではなく、例えばプログラム情報として映画や録画番組等の映像データを、出力手段として表示画面を有する表示装置を夫々適用するように構成しても良い。この場合、例えば、再生された複数の映像データ（例えば、先頭の所定時間）のうちの少なくとも２つの映像データが別々の表示装置（或いは、一つの表示装置の表示画面を分割して）から表示出力され、かつ、当該少なくとも２つの映像データの一部又は全部の出力タイミングが重なるように、複数の映像データが出力される。【００５１】
また、上記実施形態においては、例えば、再生された複数のプログラム情報（例えば、楽曲データ）のうちの少なくとも２つのプログラム情報が別々の出力手段から出力され、かつ、当該少なくとも２つのプログラム情報の一部又は全部の出力タイミングが重なるように構成したが、当該少なくとも２つのプログラム情報の一部又は全部の出力タイミングが重なることなく別々の出力手段から出力されるように構成しても良い。【００５２】
また、上記実施形態において、情報再生装置１のＲＯＭに記憶されているプログラム（本願の再生出力制御処理プログラムを含む）を、例えば、インターネット等に接続された所定のサーバに記憶保存しておき、当該サーバから情報再生装置等にダウンロードして例えば不揮発性メモリ又はＨＤに記憶するか、或いは、ＣＤ−ＲＯＭ等の記録媒体に記録された上記プログラムをドライブ等を介して情報再生装置等に読み込み不揮発性メモリ又はＨＤに記憶するように構成し、上記システム制御部２２におけるＣＰＵが当該プログラムを読み出し実行するように構成しても良い。【００５３】
また、本発明は、上記実施形態に限定されるものではない。上記実施形態は、例示であり、本発明の請求の範囲に記載された技術的思想と実質的に同一な構成を有し、同様な作用効果を奏するものは、いかなるものであっても本発明の技術的範囲に包含される。【００５４】
また、２００５年３月２９日に出願された明細書、特許請求の範囲、図面、要約を含む日本の特許出願（No. 2005-93551）の全ての開示は、その全てを参照することよって、ここに組み込まれる。
【図１】
0004391563.tif 000002
【図２】
0004391563.tif 000003
【図３】
0004391563.tif 000004
【図４】
0004391563.tif 000005
【図５】
0004391563.tif 000006